(57)【要約】【課題】外観を損なうことのない食品容器を提供する。【解決手段】食品を収納するために所定の容量を有し、かつ、筒形状を呈する内筒部と、前記内筒部を収納可能に配置し、かつ筒形状を呈する外筒部と、前記内筒部の上端部に設けられた螺子部と、前記外筒部の外筒上端部に設けられた外筒螺子部と、前記螺子部と、前記外筒螺子部と、を、共に螺合することができる接続部と、を具備する食品容器である。【選択図】            図１
2019043640.tif 000002
【特許請求の範囲】
【請求項１】
食品を収納するために所定の容量を有し、かつ、筒形状を呈する内筒部と、
前記内筒部を収納可能に配置し、かつ筒形状を呈する外筒部と、
前記内筒部の上端部に設けられた螺子部と、
前記外筒部の外筒上端部に設けられた外筒螺子部と、
前記螺子部と、前記外筒螺子部と、を、共に螺合することができる接続部と、
を具備する食品容器。
【請求項２】
前記内筒部を、前記外筒部に収納したときに、前記螺子部と、前記外筒螺子部と、を１列に整列するように配置する請求項１記載の食品容器。
【請求項３】
前記外筒部はさらに鍔部を有し、前記内筒部に、蓋部を配置し、前記蓋部は、さらに蓋鍔部を有し、前記鍔部と、前記螺子部と前記外筒螺子部と螺合する接続部と、前記蓋鍔部と、が面一となるように配置された請求項２記載の食品容器。
【請求項４】
前記内筒部と前記外筒部との間に、防水リングを配置した請求項１から３いずれか１項記載の食品容器。
【発明の詳細な説明】
【技術分野】
【０００１】
本発明は、食品容器に関するものであり特に飲料を収納するのに適した容器である。
【背景技術】
【０００２】
外出時にいわゆるテイクアウト用に提供される冷たい飲料や暖かい飲料は、いわゆる使い捨ての簡易的なカップに入れられて販売されている。これは、飲料が飲み終わった場合にそのまま廃棄することができる。一方で、比較的長期にわたって使用される食品容器も使用されている。これは硬質な合成樹脂製であって、タンブラーと称され、かつ、複数回使用可能なもので、飲料を販売する店舗にこの食品容器を持ち込み、飲料を充填して使用する。
【０００３】
この比較的長期にわたって使用される食品容器のうち、２重構造を呈する容器が存在する。これはいわゆるホットドリンクやコールドドリンクなど、入れた場合に、その温度を外部に伝えることないので、持ち易く、比較的一定の温度を維持できるというものである。
【０００４】
たとえば、特開２０１３−１００１３０号公報において、サイズの違う複数の容器を内外に重ね合わせて使用する使い捨てタイプの飲料用多重容器であって、組立て時に際内方に配置されて飲料を入れる容器として使用される内側容器と、組立て時に前記内側容器の外方に配置されて、前記内側容器を被覆する前記内側容器よりもサイズの大きな一または複数の外側容器と、前記重ね合わされる内側容器と外側容器を互いに対して位置決めした状態で取り外し可能に固定する位置決め固定構造と、を備えていることを特徴とする飲料用多重容器が開示されている。
【０００５】
この多重容器は、内側容器と、外側容器と、の２重構造であり、その内側容器と、外側容器と、の固定方法は、それぞれの容器の縁を嵌合させるもの、あるいは、それぞれの底部分を嵌合させるものが開示されている。
【０００６】
特に従来の内側容器と、外側容器との接続においてそれぞれの底部分の嵌合するための凸凹した構成を有するために、外観を損なうという恐れがある。
【先行技術文献】
【特許文献】
【０００７】
【特許文献１】特開２０１３−１００１３０号公報
【発明の開示】
【発明が解決しようとする課題】
【０００８】
本発明は前記の実情に鑑みてなされたもので、その課題は、外観を損なうことのない食品容器を提供することである。
【課題を解決するための手段】
【０００９】
第１観点における食品容器は、食品を収納するために所定の容量を有し、かつ、筒形状を呈する内筒部と、内筒部を収納可能に配置し、かつ筒形状を呈する外筒部と、内筒部の上端部に設けられた螺子部と、外筒部の外筒上端部に設けられた外筒螺子部と、螺子部と、外筒螺子部と、を、共に螺合することができる接続部と、を具備するというものである。
【００１０】
また、第２観点における食品容器は、第１観点において内筒部を、外筒部に収納したときに、螺子部と、外筒螺子部と、を１列に整列するように配置するというものである。
【００１１】
また、第３観点における食品容器は、第１観点または第２観点において、外筒部はさらに鍔部を有し、内筒部に、蓋部を配置し、その蓋部は、さらに蓋鍔部を有し、鍔部と、螺子部と外筒螺子部と螺合する接続部と、蓋鍔部と、が面一となるように配置されたというものである。
【００１２】
第４観点における食品容器は、第１観点から第３観点において、内筒部と外筒部との間に、防水リングを配置したというものである。
【発明の効果】
【００１３】
本発明は以上のように構成され、かつ、作用するものであるから、外側容器との接続においてそれぞれの底部分の嵌合するための凸凹した構成を有しないので、外観を損なうことのない食品容器を提供することできる。
【図面の簡単な説明】
【００１４】
【図１】食品容器の側面図である。
【図２】食品容器の平面図である。
【図３】食品容器の断面図である。
【発明を実施するための形態】
【００１５】
以下図示の実施形態を参照して本実施例における食品容器１０について説明する。食品容器１０は、食品を収納するために所定の容量を有し、かつ、筒形状を呈する内筒部２０と、その内筒部２０を収納可能に配置し、かつ筒形状を呈する外筒部３０と、内筒部２０の上端部２１の外方に設けられた螺子部２１ａと、外筒部３０の外筒上端部３１に設けられた外筒螺子部３１ａと、を有する。また、その螺子部２１ａと、前記外筒螺子部３１ａと、を、共に螺合することができる接続部４０と、を有するものである。また、内筒部２０に嵌合する蓋部５０と、を有する。なお、食品容器１０は、硬質な合成樹脂製で作成することができ、タンブラーと称される場合がある。
【００１６】
内筒部２０は、上端に、上端部２１と、本実施例においては食品を収納する、すなわち主として飲料を収納するための所定の容量を有するために底に相当する底部２２と、円筒形状を呈する筒本体部２３と、を有するものである。もっとも、円筒形状といっても、内筒部２０における筒本体部２３は底部２２から徐々にその径を拡大するように断面視テーパー状を呈し、その筒本体部２３の上方に配置された上端部２１は、筒本体部２３よりも断面視中心線Ｌ（図３参照）に対し外方（中心線Ｌより離れる方向）に突出している。
【００１７】
上端部２１は、螺子部２１ａと、蓋嵌合部２１ｂと、を有し、蓋嵌合部２１ｂは、文字通り、その内部に後述する蓋部５０を嵌合することができる。この蓋嵌合部２１ｂは、螺子部２１ａよりも断面視中心線Ｌ（図３参照）に対し外方（中心線Ｌより離れる方向）に突出している。
【００１８】
また、螺子部２１ａは、文字通り、筒本体部２３の上方であって、外側にその螺子の部分を有し、接続部４０と螺合するように構成されている。また、その螺子部２１ａは、蓋嵌合部２１ｂの直下に配置され、断面視、筒本体部２３よりも断面視中心線Ｌ（図３参照）に対し左右方向に突出している。また、上記のとおり、その螺子部２１ａは、断面視、蓋嵌合部２１ｂよりも内方（中心線Ｌに近づく方向）に配置されている。従って、内筒部２０、螺子部２１ａ、蓋嵌合部２１ｂの順に、断面視中心線Ｌ（図３参照）に対し外方（中心線Ｌより離れる方向）に突出している。
【００１９】
外筒部３０は、上端に、外筒上端部３１と、底に相当する外底部３２と、内筒部２０を収納することができる容量を有し、かつ、円筒形状を呈する外筒本体部３３と、を具備するものである。もっとも、円筒形状といっても、外筒部３０における外筒本体部３３は外底部３２から徐々にその径を拡大するように断面視テーパー状を呈するものである。
【００２０】
外筒上端部３１は、外筒螺子部３１ａを有し、その直下に鍔部３１ｂを有する。外筒螺子部３１ａは、文字通り、外筒本体部３３から外方に向かって螺子を構成した文字通り螺子部分であり、接続部４０と螺合するように構成されている。また、鍔部３１ｂは、上方に行くに従いなだらか曲線状を呈し、断面視中心線Ｌ（図３参照）に対し外方（中心線Ｌより離れる方向）に突出している。
【００２１】
接続部４０は、帯状であって、環状を呈するものである。接続部４０は所定幅を有し、その内側に、螺子部２１ａおよび外筒螺子部３１ａと螺合する接続螺子部４１を有する。よって、その所定幅とは、螺子部２１ａおよび外筒螺子部３１ａと螺合することができる幅であれば好ましい。この場合所定幅とは、中心線Ｌの方向（図３における上下方向）の高さを言いこれについては後述する。
【００２２】
蓋部５０は、ほぼ短円筒形状を呈し、開口部５１と、その開口部５１に、開閉可能に配置した蓋部分５２を有するものである。また、蓋部５０はその下方に嵌合部５３を有し、上述の蓋嵌合部２１ｂと嵌合するものである。また嵌合部５３の直上に、蓋鍔部５４を有し、その蓋鍔部５４は、断面視中心線Ｌ（図３参照）に対し外方（中心線Ｌより離れる方向）に突出している。
【００２３】
防水リング６０は、環状を呈し、パッキンとしての機能を有するものであり、内筒部２０と、外筒部３０との間に配置することができる。これは、ゴム、またはシリコンゴムなどで作成することができる。また、第２防水リング７０についても、環状を呈し、パッキンとしての機能を有するものであり、内筒部２０と、蓋部５０との間に配置することができる。同様に、ゴム、またはシリコンゴムなどで作成することができる。
【００２４】
上記構成の外筒部３０の内側に、内筒部２０を配置する。外筒部３０における外筒上端部３１の直上に、筒本体部２３から、外方に突出した上端部２１が載置される。その場合に、外方に向かって螺子を構成した螺子部２１ａと、外方に向かって螺子を構成した外筒螺子部３１ａとは、中心線Ｌ方向（図３における上下方向）と同じ上下方向に、一列に整列するように配置される。すなわち、螺子部２１ａと、外筒螺子部３１ａと、が、いわば１の螺子のように構成されるというものである。よって接続部４０は、その１の螺子と、螺合することができるのである。
【００２５】
また、外筒部３０と、内筒部２０との間に、防水リング６０を配置しても良いが、その場合においても、螺子部２１ａと、外筒螺子部３１ａとは、上記のように、一列に整列するように配置される。これにより、内側容器である内筒部２０と、外側容器である外筒部３０の接続に接続部４０を具備するために、従来の内側容器と、外側容器との接続においてそれぞれの底部分の嵌合するための凸凹した構成を有しないので、外観を損なうことはない。
【００２６】
この状態で、帯状であって、環状を呈する接続部４０における接続螺子部４１は、一列に整列するように配置される螺子部２１ａと、外筒螺子部３１ａと、同時に螺合する。従って、接続部４０における所定幅とは、螺子部２１ａと、外筒螺子部３１ａと、同時に螺合することができる幅であることが好ましい。このように接続部４０は所定幅を有しているので、この所定幅の部分に宣伝のために企業名、あるいは商品名などの広告を表示することができる。これにより、本実施例に係る食品容器１０は、いわゆるノベルティ商品として活用することができる。
【００２７】
また、外筒部３０における鍔部３１ｂと、螺子部２１ａおよび外筒螺子部３１ａと同時に螺合する接続部４０と、蓋部５０における蓋鍔部５４と、の断面視中心線Ｌ（図３参照）に対する左右方向の突出量を同様にすることで、その鍔部３１ｂと、螺子部２１ａおよび外筒螺子部３１ａと同時に螺合する接続部４０と、蓋部５０における蓋鍔部５４とを、面一とすることができ、これらの部分を凸凹することなくフラットにすることができるので、使用者にとって、本実施例に係る食品容器１０を持ち易くすることができる。
【符号の説明】
【００２８】
１０  食品容器
２０  内筒部
２１  上端部
２１ａ  螺子部
２１ｂ  蓋嵌合部
３０  外筒部
３１  外筒上端部
３１ａ  外筒螺子部
３１ｂ  鍔部
４０  接続部
４１  接続螺子部
５０  蓋部
５４  蓋鍔部
６０  防水リング
【図１】
2019043640.tif 000003
【図２】
2019043640.tif 000004
【図３】
2019043640.tif 000005